(57)【要約】【課題】バイオガスが不足するのに伴ってバイオガス燃料電池発電システム全体が停止してしまうのを回避しつつ、燃料電池の出力が頻繁に変更されてしまうのを回避し、バイオガス燃料電池発電システムの構成を簡略化する。【解決手段】バイオガスを貯めるためのバイオガスホルダ２と、バイオガスの残量を検出するための残量検出手段とをバイオガス燃料電池発電システムに設け、バイオガスの残量が下限設定値を下回った場合に、燃料電池の出力を下限設定値まで自動的に減少させ、バイオガスの残量が下限設定値を下回らない場合には、燃料電池の出力を下限設定値まで減少させない。好ましくは、バイオガスの残量が減少した場合であっても、バイオガスの残量が下限設定値を下回らない場合には、燃料電池の出力をほぼ一定の値に維持する。【選択図】図２
2005129304.tif 000002
【特許請求の範囲】
【請求項１】
バイオガスを利用したバイオガス燃料電池発電システムにおいて、バイオガスを貯めるためのバイオガスホルダと、バイオガスの残量を検出するための残量検出手段とを設け、バイオガスの残量が第１残量下限設定値を下回った場合に、燃料電池の出力を第１出力下限設定値まで自動的に減少させることを特徴とするバイオガス燃料電池発電システム。
【請求項２】
バイオガスの残量が減少した場合であっても、バイオガスの残量が前記第１残量下限設定値を下回らない場合には、燃料電池の出力をほぼ一定の値に維持することを特徴とする請求項１に記載のバイオガス燃料電池発電システム。
【請求項３】
前記第１残量下限設定値よりも低い第２残量下限設定値を設け、バイオガスの残量が前記第２残量下限設定値を下回った場合に、燃料電池の出力を更に減少させ、バイオガス燃料電池発電システムの運転状態を通常運転から待機運転に切り換えることを特徴とする請求項１又は２に記載のバイオガス燃料電池発電システム。
【請求項４】
残量回復設定値を設け、バイオガスの残量が前記残量回復設定値を上回った場合に、減少せしめられる前の値まで燃料電池の出力を増加させることを特徴とする請求項１〜３のいずれか一項に記載のバイオガス燃料電池発電システム。
【請求項５】
第１残量回復設定値と、前記第１残量回復設定値よりも高い第２残量回復設定値とを設け、バイオガスの残量が前記第１残量回復設定値を上回った場合に、減少せしめられる前の値よりも低い所定値まで燃料電池の出力を増加させ、次いで、バイオガスの残量が前記第２残量回復設定値を上回った場合に、減少せしめられる前の値まで燃料電池の出力を増加させることを特徴とする請求項１〜３のいずれか一項に記載のバイオガス燃料電池発電システム。
【発明の詳細な説明】
【技術分野】
【０００１】
本発明は、バイオガスを利用したバイオガス燃料電池発電システムに関し、特には、バイオガスが不足するのに伴ってバイオガス燃料電池発電システム全体が停止してしまうのを回避しつつ、燃料電池の出力が頻繁に変更されてしまうのを回避し、バイオガス燃料電池発電システムの構成を簡略化することができるバイオガス燃料電池発電システムに関する。
【背景技術】
【０００２】
従来のバイオガス燃料電池発電システムにおいては、バイオガスの残量が少なくなり、警報レベルに達した場合に、例えば警報を発することにより、燃料電池の出力を減少させる処置をオペレータに対して促していた。また、バイオガスの残量が更に減少し、バイオガス燃料電池発電システムの停止レベルに至った場合には、バイオガス不足による燃料電池本体へのダメージを避けるために、オペレータによって、又は、バイオガス不足の検知により自動的にバイオガス燃料電池発電システムが停止せしめられていた。
【０００３】
図６は上述した従来のバイオガス燃料電池発電システムにおけるバイオガスの残量などと時間との関係を示した図である。図６に示すように、従来のバイオガス燃料電池発電システムにおいては、バイオガスの残量が減少し、時間ｔ１０１にバイオガスの残量が警報レベルに達すると、オペレータに対して警報が発せられる。次いで、バイオガスの残量が更に減少し、時間ｔ１０２にバイオガスの残量が停止レベルに達すると、オペレータによって、又は、バイオガス不足の検知により自動的にバイオガス燃料電池発電システムが停止せしめられる。
【０００４】
このようなバイオガス燃料電池発電システムにおいては、バイオガスの残量不足時の燃料電池の出力調整（出力減少）をオペレータが手動で行わなければならないため、オペレータを常駐させなければならなかった。また、オペレータによる調整が間に合わない場合には、バイオガス燃料電池発電システム全体が停止してしまうおそれがあった。
【０００５】
このような問題点を解消するために、バイオガスが不足するのに伴って燃料電池発電システム全体が停止してしまうのを回避するようにした燃料電池発電システムが知られている。この種の燃料電池発電システムの例としては、例えば特開２００１−２５０５７２号公報に記載されたものがある。特開２００１−２５０５７２号公報に記載された燃料電池発電システムでは、バイオガスの残量が減少すると、発電電力（燃料電池の出力）が減少せしめられる。
【０００６】
ところが、特開２００１−２５０５７２号公報に記載された燃料電池発電システムでは、バイオガスの残量が大きく減少する場合のみならず、バイオガスの残量が僅かに減少する場合にも、発電電力（燃料電池の出力）が減少せしめられてしまう。つまり、発電電力（燃料電池の出力）が、頻繁に変更され、一定に維持されづらくなってしまっている。また、特開２００１−２５０５７２号公報に記載された燃料電池発電システムでは、バイオガスの残量が僅かに減少する場合にも発電電力（燃料電池の出力）を減少させることができるように、システム全体の構成が複雑になってしまっている。つまり、システムの制御が複雑になってしまっている。
【０００７】
【特許文献１】特開２００１−２５０５７２号公報
【発明の開示】
【発明が解決しようとする課題】
【０００８】
前記問題点に鑑み、本発明は、バイオガスが不足するのに伴ってバイオガス燃料電池発電システム全体が停止してしまうのを回避しつつ、燃料電池の出力が頻繁に変更されてしまうのを回避し、バイオガス燃料電池発電システムの構成を簡略化することができるバイオガス燃料電池発電システムを提供することを目的とする。
【課題を解決するための手段】
【０００９】
請求項１に記載の発明によれば、バイオガスを利用したバイオガス燃料電池発電システムにおいて、バイオガスを貯めるためのバイオガスホルダと、バイオガスの残量を検出するための残量検出手段とを設け、バイオガスの残量が第１残量下限設定値を下回った場合に、燃料電池の出力を第１出力下限設定値まで自動的に減少させることを特徴とするバイオガス燃料電池発電システムが提供される。
【００１０】
請求項２に記載の発明によれば、バイオガスの残量が減少した場合であっても、バイオガスの残量が前記第１残量下限設定値を下回らない場合には、燃料電池の出力をほぼ一定の値に維持することを特徴とする請求項１に記載のバイオガス燃料電池発電システムが提供される。
【００１１】
請求項３に記載の発明によれば、前記第１残量下限設定値よりも低い第２残量下限設定値を設け、バイオガスの残量が前記第２残量下限設定値を下回った場合に、燃料電池の出力を更に減少させ、バイオガス燃料電池発電システムの運転状態を通常運転から待機運転に切り換えることを特徴とする請求項１又は２に記載のバイオガス燃料電池発電システムが提供される。
【００１２】
請求項４に記載の発明によれば、残量回復設定値を設け、バイオガスの残量が前記残量回復設定値を上回った場合に、減少せしめられる前の値まで燃料電池の出力を増加させることを特徴とする請求項１〜３のいずれか一項に記載のバイオガス燃料電池発電システムが提供される。
【００１３】
請求項５に記載の発明によれば、第１残量回復設定値と、前記第１残量回復設定値よりも高い第２残量回復設定値とを設け、バイオガスの残量が前記第１残量回復設定値を上回った場合に、減少せしめられる前の値よりも低い所定値まで燃料電池の出力を増加させ、次いで、バイオガスの残量が前記第２残量回復設定値を上回った場合に、減少せしめられる前の値まで燃料電池の出力を増加させることを特徴とする請求項１〜３のいずれか一項に記載のバイオガス燃料電池発電システムが提供される。
【発明の効果】
【００１４】
請求項１又は２に記載のバイオガス燃料電池発電システムでは、バイオガスの残量が第１残量下限設定値を下回った場合に、燃料電池の出力が第１出力下限設定値まで自動的に減少せしめられる。つまり、バイオガスの残量が少なくなった場合に、燃料電池の出力が自動的に減少せしめられ、バイオガス燃料電池発電システムの運転が継続される。詳細には、バイオガスの残量が少なくなった場合に、燃料電池の出力が減少せしめられることにより、バイオガスの消費量が減少し、再びバイオガスの供給量が増加してガスホルダの残量が増加するまで、バイオガス燃料電池発電システムの運転を継続することができる。
【００１５】
更に、請求項１又は２に記載のバイオガス燃料電池発電システムでは、例えば、バイオガスの残量が減少した場合であっても、バイオガスの残量が第１残量下限設定値を下回らない場合、つまり、バイオガスが不足してしまうおそれがない場合には、燃料電池の出力が減少せしめられず、例えば、燃料電池の出力がほぼ一定の値に維持される。そのため、バイオガスが不足するのに伴ってバイオガス燃料電池発電システム全体が停止してしまうのを回避しつつ、燃料電池の出力が頻繁に変更されてしまうのを回避し、バイオガス燃料電池発電システムの構成を簡略化することができる。
【００１６】
請求項３に記載のバイオガス燃料電池発電システムでは、第１残量下限設定値よりも低い第２残量下限設定値をバイオガスの残量が下回った場合に、燃料電池の出力が更に減少せしめられ、バイオガス燃料電池発電システムの運転状態が通常運転から待機運転に切り換えられる。そのため、バイオガスの残量が第２残量下限設定値を下回ったときにバイオガス燃料電池発電システムの通常運転が維持される場合よりも、長期にわたってバイオガス燃料電池発電システムの運転を継続することができる。
【００１７】
つまり、請求項３に記載のバイオガス燃料電池発電システムでは、バイオガスの残量が、更に減少し、第２残量下限設定値を下回った場合に、バイオガス燃料電池発電システムの運転状態が、通常運転から、バイオガスの消費量が最も少ない待機運転に切り換えられる。そのため、より長くバイオガス燃料電池発電システムの運転を継続することができる。
【００１８】
請求項４に記載のバイオガス燃料電池発電システムでは、バイオガスの残量が残量回復設定値を上回った場合に、減少せしめられる前の値まで燃料電池の出力が増加せしめられる。そのため、バイオガスが不足するのに伴ってバイオガス燃料電池発電システム全体が停止してしまうのを回避しつつ、発生したバイオガスを余らせることなく有効に電力に変換することができる。
【００１９】
つまり、請求項４に記載のバイオガス燃料電池発電システムでは、バイオガスの残量が減少するのに伴って燃料電池の出力が減少せしめられた後にバイオガスの残量が回復した場合に、燃料電池の出力が自動的に増加せしめられ、バイオガス燃料電池発電システムの運転状態が元の状態に復帰せしめられる。そのため、オペレータによることなくバイオガス燃料電池発電システムの運転状態を元の状態に復帰させることができる。
【００２０】
請求項５に記載のバイオガス燃料電池発電システムでは、バイオガスの残量が第１残量回復設定値を上回った場合に、減少せしめられる前の値よりも低い所定値まで燃料電池の出力が増加せしめられ、次いで、バイオガスの残量が、第１残量回復設定値よりも高い第２残量回復設定値を上回った場合に、減少せしめられる前の値まで燃料電池の出力が増加せしめられる。そのため、減少せしめられる前の値よりも低い所定値まで燃料電池の出力が増加せしめられるステップが設けられていない場合よりも、燃料電池の出力が過剰に減少・増加せしめられてしまうのを抑制することができる。すなわち、燃料電池の出力のオーバーシュートを抑制することができる。
【００２１】
つまり、請求項５に記載のバイオガス燃料電池発電システムでは、減少せしめられる前の値まで燃料電池の出力が増加せしめられる途中に、減少せしめられる前の値よりも低い所定値まで燃料電池の出力が増加せしめられる確認ステップが設けられている。すなわち、バイオガスの残量が頻繁に減少しても燃料電池の出力は頻繁に減少せしめられず、バイオガスの残量が頻繁に増加しても燃料電池の出力は頻繁に増加せしめられない。そのため、バイオガス発生量の変動が多い場合であっても、燃料電池の出力が頻繁に変更されることなく、バイオガス燃料電池発電システムを安定して運転させることができる。
【発明を実施するための最良の形態】
【００２２】
図１は本発明のバイオガス燃料電池発電システムの第１の実施形態の概略構成図である。図１において、１は発電に用いられる燃料ガスとしてのバイオガスを発生させるためのバイオガス発生設備、２はバイオガス発生設備１において発生せしめられたバイオガスを貯めるためのバイオガスホルダである。３はバイオガスにより発電を行うための燃料電池（図示せず）を有する燃料電池発電装置、４は燃料電池の出力を設定するための出力設定部である。
【００２３】
図１に示すように、第１の実施形態のバイオガス燃料電池発電システムでは、バイオガス発生設備１において発生せしめられたバイオガスが、燃料配管を介してバイオガスホルダ２に供給され、一旦、貯められる。バイオガスホルダ２中のバイオガスの残量は、センサ（図示せず）によって検出される。出力設定部４は、センサにより検出されたバイオガスの残量に基づいて、燃料電池の出力およびバイオガス燃料電池発電システムの運転モードを決定する。
【００２４】
図２は第１の実施形態のバイオガス燃料電池発電システムにおけるバイオガスの残量などと時間との関係を示した図である。図２に示すように、第１の実施形態のバイオガス燃料電池発電システムでは、バイオガスの残量の下限設定値と、燃料電池の出力の下限設定値とが設定されている。図２の上段に示すように、バイオガスホルダ２中のバイオガスの残量が、減少し、時間ｔ１に下限設定値を下回ると、図２の中段に示すように、出力設定部４からの指令に基づいて、燃料電池の出力が下限設定値まで自動的に減少せしめられ、図２の下段に示すように、バイオガス燃料電池発電システムの運転モードが「連系」（通常運転）に維持され、バイオガス燃料電池発電システムの運転が継続される。すなわち、バイオガスの残量が少なくなった時間ｔ１に、燃料電池の出力が減少せしめられることにより、バイオガスの消費量が減少し、再びバイオガスの供給量が増加してバイオガスホルダ２中のバイオガスの残量が増加するまで、バイオガス燃料電池発電システムの運転を継続することができる。
【００２５】
詳細には、第１の実施形態のバイオガス燃料電池発電システムでは、図２に示すように、バイオガスの残量が減少した場合であっても、バイオガスの残量が下限設定値を下回らない場合、つまり、バイオガスが不足してしまうおそれがない時間ｔ１以前には、燃料電池の出力が減少せしめられず、燃料電池の出力がほぼ一定の値に維持される。そのため、バイオガスが不足するのに伴ってバイオガス燃料電池発電システム全体が停止してしまうのを回避しつつ、燃料電池の出力が頻繁に変更されてしまうのを回避し、バイオガス燃料電池発電システムの構成を簡略化することができる。
【００２６】
以下、本発明のバイオガス燃料電池発電システムの第２の実施形態について説明する。第２の実施形態のバイオガス燃料電池発電システムは、後述する点を除き、上述した第１の実施形態のバイオガス燃料電池発電システムと同様に構成されている。従って、第２の実施形態のバイオガス燃料電池発電システムによれば、上述した第１の実施形態のバイオガス燃料電池発電システムとほぼ同様の効果を奏することができる。
【００２７】
図３は第２の実施形態のバイオガス燃料電池発電システムにおけるバイオガスの残量などと時間との関係を示した図である。図３に示すように、第２の実施形態のバイオガス燃料電池発電システムでは、バイオガスの残量の下限設定値１と、下限設定値１よりも低いバイオガスの残量の下限設定値２と、燃料電池の出力の下限設定値とが設定されている。図３の上段に示すように、バイオガスホルダ２中のバイオガスの残量が、減少し、時間ｔ１１に下限設定値１を下回ると、図３の中段に示すように、出力設定部４からの指令に基づいて、燃料電池の出力が下限設定値まで自動的に減少せしめられ、図３の下段に示すように、バイオガス燃料電池発電システムの運転モードが「連系」（通常運転）に維持され、バイオガス燃料電池発電システムの運転が継続される。
【００２８】
次いで、図３の上段に示すように、時間ｔ１２にバイオガスの残量が下限設定値２を下回ると、図３の中段に示すように、出力設定部４からの指令に基づいて、燃料電池の出力が更に減少せしめられ、図３の下段に示すように、バイオガス燃料電池発電システムの運転モードが、「連系」（通常運転）から、バイオガスの消費量が最も少ない「待機」（待機運転）に切り換えられる。そのため、バイオガスの残量が下限設定値２を下回ったときにバイオガス燃料電池発電システムの通常運転が維持される場合よりも、長期にわたってバイオガス燃料電池発電システムの運転を継続することができる。
【００２９】
以下、本発明のバイオガス燃料電池発電システムの第３の実施形態について説明する。第３の実施形態のバイオガス燃料電池発電システムは、後述する点を除き、上述した第１の実施形態のバイオガス燃料電池発電システムと同様に構成されている。従って、第３の実施形態のバイオガス燃料電池発電システムによれば、上述した第１の実施形態のバイオガス燃料電池発電システムとほぼ同様の効果を奏することができる。
【００３０】
図４は第３の実施形態のバイオガス燃料電池発電システムにおけるバイオガスの残量などと時間との関係を示した図である。図４に示すように、第３の実施形態のバイオガス燃料電池発電システムでは、バイオガスの残量の下限設定値と、バイオガスの残量の回復設定値と、燃料電池の出力の下限設定値とが設定されている。図４の上段に示すように、バイオガスホルダ２中のバイオガスの残量が、減少し、時間ｔ２１に下限設定値を下回ると、図４の中段に示すように、出力設定部４からの指令に基づいて、燃料電池の出力が下限設定値まで自動的に減少せしめられ、図４の下段に示すように、バイオガス燃料電池発電システムの運転モードが「連系」（通常運転）に維持され、バイオガス燃料電池発電システムの運転が継続される。
【００３１】
次いで、図４の上段に示すように、バイオガスの残量が、回復し、時間ｔ２２に回復設定値を上回ると、図４の中段に示すように、出力設定部４からの指令に基づいて、減少せしめられる前（時間ｔ２１以前）の値まで燃料電池の出力が増加せしめられる。そのため、バイオガスが不足するのに伴ってバイオガス燃料電池発電システム全体が停止してしまうのを回避しつつ、発生したバイオガスを余らせることなく有効に電力に変換することができる。
【００３２】
以下、本発明のバイオガス燃料電池発電システムの第４の実施形態について説明する。第４の実施形態のバイオガス燃料電池発電システムは、後述する点を除き、上述した第１の実施形態のバイオガス燃料電池発電システムと同様に構成されている。従って、第４の実施形態のバイオガス燃料電池発電システムによれば、上述した第１の実施形態のバイオガス燃料電池発電システムとほぼ同様の効果を奏することができる。
【００３３】
図５は第４の実施形態のバイオガス燃料電池発電システムにおけるバイオガスの残量などと時間との関係を示した図である。図５に示すように、第４の実施形態のバイオガス燃料電池発電システムでは、バイオガスの残量の下限設定値と、バイオガスの残量の回復設定値１と、回復設定値１よりも高いバイオガスの残量の回復設定値２と、燃料電池の出力の下限設定値とが設定されている。図５の上段に示すように、バイオガスホルダ２中のバイオガスの残量が、減少し、時間ｔ３１に下限設定値を下回ると、図５の中段に示すように、出力設定部４からの指令に基づいて、燃料電池の出力が下限設定値まで自動的に減少せしめられ、図５の下段に示すように、バイオガス燃料電池発電システムの運転モードが「連系」（通常運転）に維持され、バイオガス燃料電池発電システムの運転が継続される。
【００３４】
次いで、図５の上段に示すように、バイオガスの残量が、回復し、時間ｔ３２に回復設定値１を上回ると、図５の中段に示すように、出力設定部４からの指令に基づいて、減少せしめられる前（時間ｔ３１以前）の値よりも低い所定値まで燃料電池の出力が増加せしめられる。次いで、図５の上段に示すように、バイオガスの残量が、更に回復し、時間ｔ３３に回復設定値２を上回ると、図５の中段に示すように、出力設定部４からの指令に基づいて、減少せしめられる前（時間ｔ３１以前）の値まで燃料電池の出力が増加せしめられる。そのため、減少せしめられる前（時間ｔ３１以前）の値よりも低い所定値まで燃料電池の出力が増加せしめられるステップが設けられていない第３の実施形態のバイオガス燃料電池発電システムよりも、燃料電池の出力が過剰に減少・増加せしめられてしまうのを抑制することができる。すなわち、燃料電池の出力のオーバーシュートを抑制することができる。
【００３５】
つまり、第４の実施形態のバイオガス燃料電池発電システムでは、減少せしめられる前（時間ｔ３１以前）の値まで燃料電池の出力が増加せしめられる途中に、減少せしめられる前（時間ｔ３１以前）の値よりも低い所定値まで燃料電池の出力が増加せしめられる確認ステップが設けられている。すなわち、バイオガスの残量が頻繁に減少しても燃料電池の出力は頻繁に減少せしめられず、バイオガスの残量が頻繁に増加しても燃料電池の出力は頻繁に増加せしめられない。そのため、バイオガス発生量の変動が多い場合であっても、燃料電池の出力が頻繁に変更されることなく、バイオガス燃料電池発電システムを安定して運転させることができる。
【００３６】
上述した第１から第４の実施形態のバイオガス燃料電池発電システムにおいて、バイオガスの残量を検出するためのセンサとしては、任意のセンサを用いることができる。特開２００１−２５０５７２号公報に記載された燃料電池発電システムでは、ガスホルダのレベルをリニアに検出することができるセンサが必要とされるが、第１から第４の実施形態のバイオガス燃料電池発電システムでは、所定の設定値で作動可能なリミットスイッチ等をバイオガス残量検出センサとして用いることができる。すなわち、第１から第４の実施形態のバイオガス燃料電池発電システムでは、特開２００１−２５０５７２号公報に記載された燃料電池発電システムよりも構成要素を簡略化することができる。
【００３７】
上述した第１、第３および第４の実施形態におけるバイオガスの残量の下限設定値、並びに、第２の実施形態におけるバイオガスの残量の下限設定値１は、任意の値に設定可能であるが、例えば３５％に設定可能である。
【００３８】
また、第２の実施形態におけるバイオガスの残量の下限設定値２は、任意の値に設定可能であるが、例えば２５％に設定可能である。
【００３９】
また、第１から第４の実施形態における燃料電池の出力の下限設定値は、任意の値に設定可能であるが、例えば４０％に設定可能である。
【００４０】
また、第２の実施形態において、待機運転が行われる時の燃料電池の出力は、任意の値に設定可能であるが、例えば３０％に設定可能である。具体的には、待機運転時における燃料電池の出力の約３分の１が補機の電力に用いられ、残りの約３分の２が熱自立するための電気ヒータに用いられる。
【００４１】
また、第３の実施形態におけるバイオガスの残量の回復設定値、並びに、第４の実施形態におけるバイオガスの残量の回復設定値１は、任意の値に設定可能であるが、例えば４５％に設定可能である。
【００４２】
また、第４の実施形態におけるバイオガスの残量の回復設定値２は、任意の値に設定可能であるが、例えば５５％に設定可能である。
【００４３】
また、第４の実施形態の図５中の時間ｔ３２から時間ｔ３３の間における燃料電池の出力は、任意の値に設定可能であるが、例えば、時間ｔ３１以前の燃料電池の出力と、燃料電池の出力の下限設定値（４０％）との中間値に設定可能である。例えば、時間ｔ３１以前の燃料電池の出力が１００％である場合には、第４の実施形態の図５中の時間ｔ３２から時間ｔ３３の間における燃料電池の出力を７０％に設定可能である。
【００４４】
また、第１の実施形態の図２中の時間ｔ１以前の燃料電池の出力、第２の実施形態の図３中の時間ｔ１１以前の燃料電池の出力、第３の実施形態の図４中の時間ｔ２１以前の燃料電池の出力、および、第４の実施形態の図５中の時間ｔ３１以前の燃料電池の出力は、任意の値に設定可能であるが、例えば１００％に設定可能である。
【図面の簡単な説明】
【００４５】
【図１】本発明のバイオガス燃料電池発電システムの第１の実施形態の概略構成図である。
【図２】第１の実施形態のバイオガス燃料電池発電システムにおけるバイオガスの残量などと時間との関係を示した図である。
【図３】第２の実施形態のバイオガス燃料電池発電システムにおけるバイオガスの残量などと時間との関係を示した図である。
【図４】第３の実施形態のバイオガス燃料電池発電システムにおけるバイオガスの残量などと時間との関係を示した図である。
【図５】第４の実施形態のバイオガス燃料電池発電システムにおけるバイオガスの残量などと時間との関係を示した図である。
【図６】従来のバイオガス燃料電池発電システムにおけるバイオガスの残量などと時間との関係を示した図である。
【符号の説明】
【００４６】
１    バイオガス発生設備
２    バイオガスホルダ
３    燃料電池発電装置
４    出力設定部
【図１】
2005129304.tif 000003
【図２】
2005129304.tif 000004
【図３】
2005129304.tif 000005
【図４】
2005129304.tif 000006
【図５】
2005129304.tif 000007
【図６】
2005129304.tif 000008